(57)【要約】      （修正有）【課題】挟持機能を有するバックルアセンブリを提供する。【解決手段】バックルアセンブリは、上面に第１のストラップ噛合部１１１が形成された底板１１と、底板１１の両側から上方に突出する２つのサイトプレート１３とを有する固定台１０と、回転可能に２つのサイトプレート１３の間に設置されている軸棒２１と、軸棒２１から径方向に延出し、第１のストラップ噛合部１１１に対応する第２のストラップ噛合部２２１が形成されている挟持ブロック２２と、軸棒２１から径方向に延出した操作用プレート２３とを有し、固定台１０に枢設された挟持締め片２０とを備え、挟持締め片２０が回転することで、第２のストラップ噛合部２２１と第１のストラップ噛合部１１１とが対面し、第２のストラップ噛合部２２１と第１のストラップ噛合部１１１との間の距離が小さくなる。２つのストラップ噛合部１１１、２２１によってストラップを強固に挟持できる。【選択図】図２
0003196825.tif 000002
【実用新案登録請求の範囲】
【請求項１】
前端部に前部穿通孔が形成されると共に、後端部に後部穿通孔が形成され、上面に第１のストラップ噛合部が形成された底板と、前記底板の両側から上方に突出する２つのサイトプレートとを有する固定台と、
回転可能に前記２つのサイトプレートの間に設置されている軸棒と、前記軸棒から径方向に延出し、前記軸棒から離間する端部に、前記第１のストラップ噛合部に対応する第２のストラップ噛合部が形成されている挟持ブロックと、前記軸棒から径方向に延出した操作用プレートとを有し、前記固定台に枢設された挟持締め片と、
を備え、
前記挟持締め片が回転して前記操作プレートと前記固定台の底板とが略平行になると、前記第２のストラップ噛合部と前記第１のストラップ噛合部とが対面し、前記第２のストラップ噛合部と前記第１のストラップ噛合部との間の距離が小さくなる、挟持機能を有するバックルアセンブリ。
【請求項２】
前記各サイトプレートに軸孔が穿設され、
回転可能に前記２つの軸孔内にそれぞれ、前記挟持締め片の前記軸棒の２つの端部が設置されている、請求項１に記載の挟持機能を有するバックルアセンブリ。
【請求項３】
前記第１のストラップ噛合部の前端部は、前記前部穿通孔に近接していると共に、前記第１のストラップ噛合部の後端部は、前記後部穿通孔に近接しており、前記第１のストラップ噛合部は、該第１のストラップ噛合部の位置が前端部から後端部に向かって高くなるように、前記底板の上面に対して傾斜しており、
前記各軸孔は、前記底板の上面に対して略平行である長孔であり、前記挟持締め片の前記軸棒の２つの端部は、摺動可能に前記２つの軸孔内にそれぞれ設置され、
前記挟持締め片が回転して前記操作プレートと前記固定台の底板とが略平行になると、前記挟持締め片が前記後部穿通孔に向かって水平に移動し且つ前記軸棒の２つの端部が前記軸孔内において摺動することで、前記第２のストラップ噛合部が、前記第１のストラップ噛合部における、前記後部穿通孔に近接している比較的高い後端部に位置させられ、前記第２のストラップ噛合部と前記第１のストラップ噛合部との間の距離が更に小さくなる、請求項２に記載の挟持機能を有するバックルアセンブリ。
【請求項４】
前記挟持締め片の挟持ブロックと、前記操作プレートとが互いに略垂直となっている、請求項１から３のいずれかに記載の挟持機能を有するバックルアセンブリ。
【請求項５】
前記操作プレートに補助挟持ブロックが突設され、前記挟持締め片が回転して該操作プレートと前記固定台の底板とが略平行になると、前記補助挟持ブロックと前記固定台の上面とが対面し、前記補助挟持ブロックと前記固定台の上面との間の距離が小さくなる、請求項４に記載の挟持機能を有するバックルアセンブリ。
【請求項６】
前記第１のストラップ噛合部が前記前部穿通孔と前記後部穿通孔との間に位置する、請求項５に記載の挟持機能を有するバックルアセンブリ。
【請求項７】
前記第１のストラップ噛合部が複数の噛合歯を有し、前記第２のストラップ噛合部が複数の噛合歯を有している、請求項６に記載の挟持機能を有するバックルアセンブリ。  
【考案の詳細な説明】
【技術分野】
【０００１】
本考案は、バックルアセンブリに関し、特に、挟持機能を有するバックルアセンブリであって、該バックルアセンブリに挿し通されたストラップに対する滑り止め性を向上させ、バックルアセンブリに対するストラップの滑りに起因してストラップに連結しているバッグ等の物がユーザーから落下するという問題を防止できるバックルアセンブリに関するものである。
【背景技術】
【０００２】
従来のバッグには、片肩掛け型や、斜め掛け型、リュック型等の形態を有し、通常は、バッグ本体に織物や革からなる一本以上のストラップが設けられている。また、ストラップには、通常、日の字型のバックルが設けられ、該バックルには、ストラップを挿し通し且つユーザーがストラップの全長を調節するための２つの孔が並設されている。
【考案の概要】
【考案が解決しようとする課題】
【０００３】
しかしながら、前記従来のバックルでは、ストラップの長さを調節することは可能であるが、十分な滑り止め性を有していなく、滑り止め機構も備えていないため、ユーザーがストラップを引っ張った際に、バックルに対してストラップが滑ってストラップの長さが変わり、バッグが落下してしまう虞があった。
【課題を解決するための手段】
【０００４】
従来のストラップ用バックルがストラップに対して滑りやすいことに起因してバッグが落下してしまうという問題を解決すべく、本考案の考案者が鋭意工夫した結果、挟持機能を有するバックルアセンブリを案出した。
【０００５】
本考案の主な目的は、挟持機能を有するバックルアセンブリを提供し、バックルアセンブリに挿し通されたストラップに対する滑り止め性を向上させ、バックルアセンブリに対するストラップの滑りに起因してストラップに連結しているバッグ等の物がユーザーから落下するという問題を解決することにある。
【０００６】
上記目的を達成するために、上述した挟持機能を有するバックルアセンブリは、
前端部に前部穿通孔が形成されると共に、後端部に後部穿通孔が形成され、上面に第１のストラップ噛合部が形成された底板と、前記底板の両側から上方に突出する２つのサイトプレートとを有する固定台と、
回転可能に前記２つのサイトプレートの間に設置されている軸棒と、前記軸棒から径方向に延出し、前記軸棒から離間する端部に、前記第１のストラップ噛合部に対応する第２のストラップ噛合部が形成されている挟持ブロックと、前記軸棒から径方向に延出した操作用プレートとを有し、前記固定台に枢設された挟持締め片と、
を備え、
前記挟持締め片が回転して前記操作プレートと前記固定台の底板とが略平行になると、前記第２のストラップ噛合部と前記第１のストラップ噛合部とが対面し、前記第２のストラップ噛合部と前記第１のストラップ噛合部との間の距離が小さくなる。
【０００７】
前記各サイトプレートに軸孔が穿設され、回転可能に前記２つの軸孔内にそれぞれ、前記挟持締め片の前記軸棒の２つの端部が設置されている。
【０００８】
前記第１のストラップ噛合部の前端部は、前記前部穿通孔に近接していると共に、前記第１のストラップ噛合部の後端部は、前記後部穿通孔に近接しており、前記第１のストラップ噛合部は、該第１のストラップ噛合部の位置が前端部から後端部に向かって高くなるように、前記底板の上面に対して傾斜しており、
前記各軸孔は、前記底板の上面に対して略平行である長孔であり、前記挟持締め片の前記軸棒の２つの端部は、摺動可能に前記２つの軸孔内にそれぞれ設置され、
前記挟持締め片が回転して前記操作プレートと前記固定台の底板とが略平行になると、前記挟持締め片が前記後部穿通孔に向かって水平に移動し且つ前記軸棒の２つの端部が前記軸孔内において摺動することで、前記第２のストラップ噛合部が、前記第１のストラップ噛合部における、前記後部穿通孔に近接している比較的高い後端部に位置させられ、前記第２のストラップ噛合部と前記第１のストラップ噛合部との間の距離が更に小さくなる。
【０００９】
前記挟持締め片の挟持ブロックと、前記操作プレートとが互いに略垂直となっている。
【００１０】
前記操作プレートに補助挟持ブロックが突設され、前記挟持締め片が回転して該操作プレートと前記固定台の底板とが略平行になると、前記補助挟持ブロックと前記固定台の上面とが対面し、前記補助挟持ブロックと前記固定台の上面との間の距離が小さくなる。
【００１１】
前記第１のストラップ噛合部が前記前部穿通孔と前記後部穿通孔との間に位置する。
【００１２】
前記第１のストラップ噛合部が複数の噛合歯を有し、前記第２のストラップ噛合部が複数の噛合歯を有している。
【図面の簡単な説明】
【００１３】
【図１】本考案の斜視図である。
【図２】本考案の操作状態を示す斜視図である。
【図３】本考案の分解斜視図である。
【図４】本考案の解放状態を示す側面視断面図である。
【図５】本考案の締め状態を示す側面視断面図である。
【図６】本考案の締め状態且つスライド後の状態を示す側面視断面図である。
【考案を実施するための形態】
【００１４】
図１〜図３に示すように、本考案の挟持機能を有するバックルアセンブリは、固定台１０及び挟持締め片２０とを備える。
【００１５】
そのうち固定台１０は、底板１１と、２つのサイトプレート１３とを有している。
【００１６】
図４に示すように、前記底板１１の前端部に前部穿通孔１１５が形成され、該底板１１の後端部に後部穿通孔１１６が形成され、これら前部穿通孔１１５と後部穿通孔１１６は共に、ストラップ９０を挿し通すためのものである。該底板１１の上面に、該前部穿通孔１１５と該後部穿通孔１１６との間に位置する第１のストラップ噛合部１１１が形成され、該第１のストラップ噛合部１１１の前端部は該前部穿通孔１１５に近接しており、該第１のストラップ噛合部１１１の後端部は該後部穿通孔１１６に近接している。また、該第１のストラップ噛合部１１１は、複数の噛合歯を有すると共に、第１のストラップ噛合部１１１の位置が前端部から後端部に向かって高くなるように、底板１１の上面に対して傾斜している。
【００１７】
前記２つのサイトプレート１３は、底板１１の両側から上方に突出していると共に、それぞれ軸孔１３１が穿設され、各軸孔１３１は、底板１１の上面に対して略平行の長孔である。
【００１８】
前記挟持締め片２０は固定台１０に枢設され、軸棒２１と、挟持ブロック２２と、操作用プレート２３とを有している。
【００１９】
前記軸棒２１の２つの端部２１１は、回転可能且つ摺動可能に２つの軸孔１３１内にそれぞれ設置されている。
【００２０】
前記挟持ブロック２２は、軸棒２１から径方向に延出している。該挟持ブロック２２における、軸棒２１から離間する端部に、第１のストラップ噛合部１１１に対応する第２のストラップ噛合部２２１が形成されている。該第２のストラップ噛合部２２１には複数の噛合歯を有している。
【００２１】
前記操作プレート２３は、挟持ブロック２２に対して略垂直となるように軸棒２１から径方向に延出している。また、操作プレート２３には、補助挟持ブロック２４が突設され、該挟持締め片２０が回転して該操作プレート２３と固定台１０の底板１１とが略平行になると、補助挟持ブロック２４と固定台１０の上面とが対面し、補助挟持ブロック２４と固定台１０の上面との間の距離が小さくなる。
【００２２】
図５に示すように、前記挟持締め片２０が回転して該操作プレート２３と固定台１０の底板１１とが略平行になると、該第２のストラップ噛合部２２１と第１のストラップ噛合部１１１とが対面し、該第２のストラップ噛合部２２１と第１のストラップ噛合部１１１との間の距離が小さくなる。一方、ストラップ９０は、固定台１０の前部穿通孔１１５及び後部穿通孔１１６に挿し通されると、底板１１の上面に貼り付くため、第１のストラップ噛合部１１１と第２のストラップ噛合部２２１とが噛合状態となって挟持され、ストラップ９０が固定台１０及び挟持締め片２０に対して移動できなくなり、更に、補助挟持ブロック２４も底板１１の上面とでストラップ９０を挟持するため、ストラップ９０は更に強固に固定されて移動できなくなる。
【００２３】
図６に示すように、前記挟持締め片２０が回転して該操作プレート２３と固定台１０の底板１１とが略平行になると、挟持締め片２０が後部穿通孔１１６に向かって水平に移動し且つ軸棒２１の２つの端部２１１が軸孔１３１内において摺動することで、第１のストラップ噛合部１１１における、後部穿通孔１１６に近接している比較的高い後端部に第２のストラップ噛合部２２１を位置させることができると共に、該第２のストラップ噛合部２２１と第１のストラップ噛合部１１１との間の距離を更に小さくすることができる。また、この時、第１のストラップ噛合部１１１と第２のストラップ噛合部２２１とによる挟持力が更に強くなり、ストラップ９０が移動しないようにバックルアセンブリに強固に位置決めされる。
【符号の説明】
【００２４】
１０    固定台
１１    底板
１１１  第１のストラップ噛合部
１１５  前部穿通孔
１１６  後部穿通孔
１３    サイトプレート
１３１  軸孔
２０    挟持締め片
２１    軸棒
２１１  端部
２２    挟持ブロック
２２１  第２のストラップ噛合部
２３    操作プレート
２４    補助挟持ブロック
９０    ストラップ
【図１】
0003196825.tif 000003
【図２】
0003196825.tif 000004
【図３】
0003196825.tif 000005
【図４】
0003196825.tif 000006
【図５】
0003196825.tif 000007
【図６】
0003196825.tif 000008